(57)【要約】【課題】粘着テープの使用量を非常に少なくすることができて、しかも貼付作業を確実かつ容易に行え、しかも止め状態を確実にすることのできる包装用容器を提供すること。【解決手段】容器本体１０の側壁部１２に、底板部１１またはその外周となる糸尻部１１ａに滑らかに連続し、粘着テープの幅程度の幅を有する接着面１４を形成したこと。【選択図】図２
2008222304.tif 000002
【特許請求の範囲】
【請求項１】
容器本体と、その開口部を覆蓋する蓋体とからなり、これら両者及びの境界部分を粘着テープによって封緘するようにした包装用容器であって、
前記容器本体の側壁部に、底板部またはその外周となる糸尻部に滑らかに連続し、前記粘着テープの幅程度の幅を有する接着面を形成したことを特徴とする包装用容器。
【請求項２】
前記接着面を、前記容器本体が有しているフランジ部全周の均等分割位置に形成したことを特徴とする請求項１に記載の包装用容器。
【請求項３】
容器本体と、その開口部を覆蓋する蓋体とからなり、これら両者及びの境界部分を粘着テープによって封緘するようにした包装用容器であって、
前記蓋体を、前記容器本体のフランジ部に載置または嵌合されるフランジ部と、このフランジ部の内縁から立ち上がる嵩上げ壁と、この嵩上げ壁の上端に形成した天板部とを備えたものとするとともに、
前記フランジ部及び嵩上げ壁の両者にまたがるとともに、前記天板部に滑らかに連続し、前記粘着テープの幅程度の幅を有する接着面を形成したことを特徴とする包装用容器。
【請求項４】
前記接着面を、前記フランジ部全周の均等分割位置に形成したことを特徴とする請求項３に記載の包装用容器。
【発明の詳細な説明】
【技術分野】
【０００１】
本発明は、容器本体と蓋体とからなる包装用容器に関し、特に、容器本体と蓋体とを粘着テープにより封緘するようにした包装用容器に関するものである。
【背景技術】
【０００２】
容器本体と蓋体とからなる包装用容器は、圧空または真空成形法を合成樹脂シートに対して適用することによって、簡単かつ安価に製造されるものであり、所謂使い捨てされるものである。また、このような容器本体と蓋体とからなる包装用容器は、スーパーやコンビニエンスストア等の各種店舗において、惣菜、サラダ、ケーキあるいはお弁当等のお持ち帰り用容器として重宝されているものでもある。
【０００３】
このような包装用容器については、中身を入れた容器本体を蓋体によって覆った後に、この蓋が簡単に開かないようにするために、全体をフィルムで包み込んだり、あるいは粘着テープによって止めたりすることがなされる。包装用容器の全体をフィルムによって包み込むことは、作業が面倒であるばかりか、「フィルム」という包装資材を大量に使用しなければならないことから、「粘着テープ」によって要所だけを止めるという言わば「簡易方法」が採用されることが多い。
【０００４】
蓋体を粘着テープによって容器本体に止めるという技術は、特許文献１〜特許文献３に、既に種々提案されてきている。
【特許文献１】特開平８−３０１３３５号公報、要約、代表図
【特許文献２】特開平９−２７８０７６号公報、要約、代表図
【特許文献３】特開平１１−２９２０２８号公報、要約、代表図
【発明の開示】
【発明が解決しようとする課題】
【０００５】
特許文献１にて提案されている「容器」は、「本体と蓋とを封緘するために巻いてある粘着テープを容易に剥がすことができるようにすること」を目的としてなされたもので、図１１に示すように、「本体１に蓋２を嵌め込み、本体１と蓋２とを粘着テープ４で巻いて封緘する容器において、側壁の粘着テープ４を貼り付ける部位の少なくとも一箇所に凹部３を、粘着テープ４を貼り付ける部位内からその部位外に亘って設けてある」という構成を有するものである。
【０００６】
しかしながら、この特許文献１にて提案されている「容器」では、図１１にも示したように、「本体１と蓋２とを粘着テープ４で巻いて封緘する」ものであるから、大量の粘着テープが必要になると考えられる。それだけでなく、この「容器」では、「凹部３」によって粘着テープに浮いた部分ができるため、この浮いた部分に異物が侵入して粘着テープにくっつき、見栄えが悪くなるだけでなく、使用者に不衛生感を与えることになるものと考えられ、当該包装用容器に詰めた商品の価値を低めてしまうことになるとも考えられる。
【０００７】
特許文献２にて提案されている「薄肉状の包装用容器」は、「粘着テープで封緘するようにした鶏卵容器において、粘着テープの貼り付け・引き剥がしを容易に行えるようにする」ことを目的としてなされたもので、図１２に示すように、「本体２の収容部４，５と蓋体３の収容部４，５とに、フランジ７，８の先端縁に向かって延びるリブ１０を形成し、粘着テープ１２を上下のリブ１０に跨がった状態で貼着する」ものであり、「粘着テープ１２はく字状に屈曲しているに過ぎないため、貼り付け及び引き剥がしが容易となる。且つ、粘着テープ１２の面積を広くできるため、粘着テープ１２にバーコード等の各種の情報を表示できる」という作用あるいは効果を発揮できるものと考えられる。
【０００８】
しかしながら、この特許文献２の「薄肉状の包装用容器」は、上記特許文献１の「容器」と同様に、粘着テープに浮いた部分ができるため、この浮いた部分に異物が侵入して粘着テープにくっつき、見栄えが悪くなるだけでなく、使用者に不衛生感を与えることになるものと考えらる。また、粘着テープの浮いた部分が存在すれば、これに他の物（例えば括り紐等）が接着され易く、この接着された物あるいは当該容器が動くことによって、この粘着テープを剥がしてしまう場合も発生し得ると考えらる。
【０００９】
特許文献３に提案されている「テープ貼付装置」は、「粘着テープによる蓋付容器１の封緘作業の効率化並びに作業時間の短縮化を図ると共に、封緘された蓋付容器１の見栄えを向上させる」ものであり、図１３に示すように、「粘着テープ１３、１３を蓋付容器１の上面に貼り付ける」ようにするものである。
【００１０】
しかしながら、この特許文献３の「テープ貼付装置」によって「粘着テープ１３、１３が上面に貼り付けられた蓋付容器１」では、図１３に示したように、粘着テープが蓋体の天板上面から容器本体の側壁中央部まで貼付されることがある。このようになると、粘着テープとして相当長いものが必要になるだけでなく、粘着テープが完全な透明なものでない限り、これが天板上面に貼られている内部の視認を阻害することがあるとも考えられる。
【００１１】
また、この特許文献３の「テープ貼付装置」によって、粘着テープを図１３に示したように貼付すると、容器本体側も蓋体側も、各フランジ部と側壁との境界部分に粘着テープの浮いた部分がどうしても形成されるため、この浮いた部分に、特許文献１や２の場合と同様に異物が入って接着されたり、この浮いた部分から粘着テープが剥がれてしまうおそれも出てくる。
【００１２】
そこで、本発明者等は、この種の容器本体と蓋体とからなる包装用容器を粘着テープによって止めるに当たって、粘着テープに接着されない浮いた部分が発生せず、しかも必要最低限の長さで確実な止めが行えるようにするにはどうしたらよいか、について種々検討を重ねてきた結果、本発明を完成したのである。
【００１３】
すなわち、本発明の目的とするところは、容器本体と蓋体とからなる包装用容器を粘着テープによって止めるに当たって、粘着テープの使用量を非常に少なくすることができて、しかも貼付作業を確実かつ容易に行え、しかも止め状態を確実にすることのできる包装用容器を、簡単な構成によって提供することにある。
【課題を解決するための手段】
【００１４】
以上の課題を解決するために、まず、請求項１に係る発明の採った手段は、後述する最良形態の説明中で使用する符号を付して説明すると、
「容器本体１０と、その開口部を覆蓋する蓋体２０とからなり、これら両者の境界部分を粘着テープ３０によって封緘するようにした包装用容器１００であって、
容器本体１０の側壁部１２に、底板部１１またはその外周となる糸尻部１１ａに滑らかに連続し、粘着テープ３０の幅程度の幅を有する接着面１４を形成したことを特徴とする包装用容器１００」
である。
【００１５】
すなわち、この請求項１の包装用容器１００は、図１及び図２、図７及び図８、図９及び図１０に示すように、容器本体１０と、その開口部を覆蓋する蓋体２０とからなり、これら容器本体１０及び蓋体２０の境界部分を粘着テープ３０によって封緘するようにしたものである。そして、この請求項１に係る包装用容器１００は、その容器本体１０について接着面１４を形成しておき、この接着面１４に粘着テープ３０を貼付するようにしたものである。
【００１６】
容器本体１０は、図２、図３、及び図５に示すように、底板部１１と、この底板部１１の外縁から立ち上がる側壁部１２と、この側壁部１２の上端開口部に形成したフランジ部１３を有するものであるが、これらのフランジ部１３と側壁部１２との境界部分に上述した接着面１４を形成したものである。
【００１７】
すなわち、接着面１４は、図２、図３、及び図５に示すように、粘着テープ３０の幅と同程度の幅を有する滑らかな面である。具体的には、この接着面１４は、図２にも示すように、底板部１１またはその外周となる糸尻部１１ａと、フランジ部１３の内縁１３ａまたは外縁１３ｂとを滑らかに連続させるものである。「滑らか」な接着面１４とは、その長さ方向（幅方向と直交する方向）に延びている面が、平面であっても、また曲面であってもよいことを意味し、要するに、底板部１１またはその外周となる糸尻部１１ａと、フランジ部１３の内縁１３ａとを連続させることができればよいものである。
【００１８】
この接着面１４が滑らかな平面または曲面であれば、粘着テープ３０の貼付作業が行い易くなる。何故なら、粘着テープ３０は、その長さ方向の面が平面になったり曲面になったりするものであるが、接着面１４もそのようになっていれば、この接着面１４に対する粘着テープ３０の貼付を自然に行えるからである。
【００１９】
ところで、容器本体１０の底面側は、底板部１１だけによって構成されている場合、この底板部１１に図２に示すような糸尻部１１ａを形成する場合、あるいはこの糸尻部１１ａが底板部１１で連続している場合と、種々な状態があるが、そのような種々な場合に対処するために、接着面１４の底板部１１側端は、何れかに連続している必要がある。このため、接着面１４は、底板部１１またはその外周となる糸尻部１１ａと滑らかに連続する必要があるのである。
【００２０】
さらに、この接着面１４が滑らかな平面または曲面であって、底板部１１またはその外周となる糸尻部１１ａと、フランジ部１３の内縁１３ａとを連続させることができるものであれば、貼付すべき粘着テープ３０の長さを短くすることができる。何故なら、この接着面１４に粘着テープ３０を貼付した場合、この接着面１４の長さに相当する粘着テープ３０は、その裏面全体で接着面１４上に完全に貼付されて、浮いた部分が全く発生しないから、例えば底板部１１や糸尻部１１ａにまでこの接着面１４を伸ばす必要がなく、当該接着面１４の長さより少し短めの粘着テープ３０を使用するだけで、当該容器本体１０を蓋体２０に止めて包装用容器１００全体を十分に封緘することができるからである。
【００２１】
逆に、接着面１４上では粘着テープ３０の貼付を浮いた部分が生じないように行えるのであるから、この接着面１４上に貼付すべき粘着テープ３０を、この接着面１４の半分程度の長さにのものにしても包装用容器１００の封緘に十分であり、粘着テープ３０の使用量を少なくすることができるのである。
【００２２】
また、各接着面１４は、底板部１１またはその外周となる糸尻部１１ａと、フランジ部１３の内縁１３ａとを滑らかに連続させるものとして形成したものであるから、図２及び図３にも示すように、当該容器本体１０の他の部分に比しても十分目立つものとなっている。つまり、粘着テープ３０の貼付位置が明確に視認できるのであるから、粘着テープ３０の貼付作業を迷うことなく簡単に行えるものとなっている。
【００２３】
従って、この請求項１の包装用容器１００によれば、容器本体１０と蓋体２０とからなる包装用容器１００を粘着テープ３０によって止めるに当たって、粘着テープ３０の使用量を非常に少なくすることができて、しかも貼付作業を確実かつ容易に行え、しかも止め状態を確実にすることができるものとなっているのである。
【００２４】
上記課題を解決するために、請求項２に係る発明の採った手段は、上記請求項１に記載の包装用容器１００について、
「接着面１４を、容器本体１０が有しているフランジ部１１全周の均等分割位置に形成したこと」
である。
【００２５】
すなわち、この請求項２に係る包装用容器１００では、図２にも示すように、容器本体１０の各接着面１４を、例えば、容器本体１０の中心に対して、少なくとも一対の点対称位置となる部分に形成したものである。勿論、二対、従って４個の接着面１４を、図２にも示すように、容器本体１０の中心に対する点対称位置に形成して実施してもよいものである。勿論、図８に示すような円形の容器本体１０であれば、容器本体１０が有しているフランジ部１１全周の３等分位置、あるいは５等分位置等のように、「奇数分割位置」に形成することも可能である。
【００２６】
このように、少なくとも一対の接着面１４を、容器本体１０の中心に対して点対称位置となる部分、つまり、容器本体１０が有しているフランジ部１１全周の均等分割位置に形成すれば、粘着テープ３０による貼付強度を均等にすることができて、包装用容器１００の封緘を確実にすることができるのである。
【００２７】
従って、この請求項２の包装用容器１００では、上記請求項１のそれと同様な機能を発揮する他、粘着テープ３０による封緘を均等なものとすることができるものとなっている。
【００２８】
さて、上記課題を解決するために、請求項３に係る発明の採った手段は、
「容器本体１０と、その開口部を覆蓋する蓋体２０とからなり、これら両者１０及び２０の境界部分を粘着テープ３０によって封緘するようにした包装用容器１００であって、
蓋体２０を、容器本体１０のフランジ部１１に載置または嵌合されるフランジ部２１と、このフランジ部２１の内縁２１ａから立ち上がる嵩上げ壁２２と、この嵩上げ壁２２の上端に形成した天板部２３とを備えたものとするとともに、
フランジ部２１及び嵩上げ壁２２の両者にまたがるとともに、天板部２３に滑らかに連続し、粘着テープ３０の幅程度の幅を有する接着面２４を形成したことを特徴とする包装用容器１００」
である。
【００２９】
すなわち、この請求項３の包装用容器１００では、これを構成している蓋体２０側に、粘着テープ３０を貼付するための接着面２４を形成したものである。なお、この接着面２４は、上記請求項１または２に係る容器本体１０に形成した接着面１４と合わせると、より一層効果的になる。
【００３０】
容器本体１０に嵌合または載せられる各蓋体２０は、図１、図３、及び図４に示すように、まず、容器本体１０側のフランジ部１３に対して嵌合または載せられるフランジ部２１を有していて、このフランジ部２１から嵩上げ壁２２が立ち上がり、そして、この嵩上げ壁２２の上端に天板部２３を形成したものである。換言すれば、この蓋体２０には、フランジ部２１と嵩上げ壁２２との間に「段部」が存在しており、そのままでは粘着テープ３０の貼付がし辛いものとなっている。
【００３１】
そこで、この蓋体２０では、これらのフランジ部２１と嵩上げ壁２２との間の「段部」を解消するための接着面２４が形成してある。この接着面２４は、フランジ部２１及び嵩上げ壁２２の両者にまたがるとともに、天板部２３に滑らかに連続し、粘着テープ３０の幅程度の幅を有するものであり、その上には、図１等に示すように、粘着テープ３０が貼付されるものである。
【００３２】
接着面２４は、フランジ部２１及び嵩上げ壁２２の両者にまたがるとともに、天板部２３に滑らかに連続し、粘着テープ３０の幅程度の幅を有するものである。接着面２４が天板部２３に「滑らかに連続」するとは、接着面２４の長さ方向（幅方向と直交する方向）に延びている面が、平面であっても、また曲面であってもよいことを意味する。
【００３３】
この接着面２４が滑らかな平面または曲面であれば、粘着テープ３０の貼付作業が行い易くなる。何故なら、粘着テープ３０は、その長さ方向の面が平面になったり曲面になったりするのであるが、接着面２４もそのようになっていれば、この接着面２４に対する粘着テープ３０の貼付を自然に行えるからである。
【００３４】
ところで、天板部２３は、平面的に形成されている場合、この天板部２３に上に載せた他の包装用容器１００の位置決めを行い易くする複数の段部を形成する場合、あるいはこれらの段部が天板部２３上で連続している場合と、種々な状態があるが、そのような種々な場合に対処するために、接着面２４の天板部２３側端は、何れかに連続している必要があり、接着面２４は、天板部２３あるいは段部と滑らかに連続する必要はある。
【００３５】
さらに、この接着面２４が滑らかな平面または曲面であって、天板部２３と連続させることができるものであれば、貼付すべき粘着テープ３０の長さを短くすることができる。何故なら、この接着面２４に粘着テープ３０を貼付した場合、この接着面２４の長さに相当する粘着テープ３０は、その裏面全体で接着面２４上に完全に貼付されて、浮いた部分が全く発生しないから、例えば天板部２３の中心にまでこの接着面２４を伸ばす必要がなく、当該接着面２４の長さより少し長めの粘着テープ３０を使用するだけで、当該蓋体２０を容器本体１０に止めて包装用容器１００全体を十分に封緘することができるからである。
【００３６】
逆に、接着面２４上では粘着テープ３０の貼付を浮いた部分が生じないように行えるのであるから、この接着面２４上に貼付すべき粘着テープ３０を、この接着面２４の半分程度の長さにのものにしても包装用容器１００の封緘に十分であり、粘着テープ３０の使用量を少なくすることができるのである。
【００３７】
また、各接着面２４は、天板部２３に滑らかに連続するものとして形成したものであるから、図１及び図３にも示すように、当該蓋体２０の他の部分に比しても十分目立つものとなっている。つまり、粘着テープ３０の貼付位置が明確に視認できるのであるから、粘着テープ３０の貼付作業を迷うことなく簡単に行えるものとなっている。
【００３８】
従って、この請求項３の包装用容器１００によれば、容器本体１０と蓋体２０とからなる包装用容器１００を粘着テープ３０によって止めるに当たって、粘着テープ３０の使用量を非常に少なくすることができて、しかも貼付作業を確実かつ容易に行え、しかも止め状態を確実にすることができるものとなっているのである。
【００３９】
上記課題を解決するために、請求項４に係る発明の採った手段は、上記請求項３に記載の包装用容器１００について、
「接着面２４を、フランジ部２１全周の均等分割位置に形成したこと」
である。
【００４０】
すなわち、この請求項４に係る包装用容器１００では、図２にも示すように、蓋体２０の各接着面２４を、例えば、蓋体２０の中心に対して、少なくとも一対の点対称位置となる部分、換言すれば、フランジ部２１全周の均等分割位置に形成したものである。勿論、二対、従って４個の接着面２４を、図１にも示すように、蓋体２０の中心に対する点対称位置に形成して実施してもよく、図７に示すような円形の蓋体２０であれば、この蓋体２０が有しているフランジ部２１全周の３等分位置、あるいは５等分位置等のように、「奇数分割位置」に形成することも可能である。
【００４１】
このように、少なくとも一対の接着面２４を、蓋体２０の中心に対して点対称位置となる部分に形成すれば、粘着テープ３０による貼付強度を均等にすることができて、包装用容器１００の封緘を確実にすることができるのである。
【００４２】
従って、この請求項４の包装用容器１００でも、上記請求項３のそれと同様な機能を発揮する他、粘着テープ３０による封緘を均等なものとすることができるものとなっている。
【発明の効果】
【００４３】
以上、説明した通り、請求項１及び２に係る発明においては、
「容器本体１０と、その開口部を覆蓋する蓋体２０とからなり、これら両者１０及び２０の境界部分を粘着テープ３０によって封緘するようにした包装用容器１００であって、
容器本体１０の側壁部１２に、底板部１１またはその外周となる糸尻部１１ａと、フランジ部１３の内縁１３ａとを滑らかに連続させ、粘着テープ３０の幅程度の幅を有する接着面１４を形成したこと」
にその構成上の主たる特徴があり、これにより、容器本体１０と蓋体２０とからなる包装用容器１００を粘着テープ３０によって止めるに当たって、粘着テープ３０の使用量を非常に少なくすることができて、しかも貼付作業を確実かつ容易に行え、しかも止め状態を確実にすることができるのである。
【００４４】
また、請求項３及び４に係る発明においては、
「容器本体１０と、その開口部を覆蓋する蓋体２０とからなり、これら両者１０及び２０の境界部分を粘着テープ３０によって封緘するようにした包装用容器１００であって、
蓋体２０を、容器本体１０のフランジ部１１に載置または嵌合されるフランジ部２１と、このフランジ部２１の内縁２１ａから立ち上がる嵩上げ壁２２と、この嵩上げ壁２２の上端に形成した天板部２３とを備えたものとするとともに、
フランジ部２１及び嵩上げ壁２２の両者にまたがるとともに、天板部２３に滑らかに連続し、粘着テープ３０の幅程度の幅を有する接着面２４を形成したこと」
にその構成上の主たる特徴があり、これにより、容器本体１０と蓋体２０とからなる包装用容器１００を粘着テープ３０によって止めるに当たって、粘着テープ３０の使用量を非常に少なくすることができて、しかも貼付作業を確実かつ容易に行え、しかも止め状態を確実にすることができるのである。
【００４５】
特に、本発明を実施した容器本体１０及び蓋体２０から包装用容器１００であって、その全体の高さが４５ｍｍである場合に、粘着テープ３０の長さは５０ｍｍで十分であった。つまり、全体の高さが４５ｍｍの従来品について、本発明者が粘着テープによる仮止めを行った際、この粘着テープの使用量は、１００〜１１０ｍｍであったのに対して、本発明に係る包装用容器１００では、約半分の長さの粘着テープ３０しか使用しなかったことになり、使用後はゴミでしかない粘着テープ３０の使用量を激減させることができたのである。
【００４６】
また、接着面１４及び２４上においては、粘着テープ３０が全面的に貼付されているから、本発明に係る包装用容器１００においては、粘着テープ３０が剥がれやすいということはなく、封緘を確実にすることができるのである。
【００４７】
さらには、特に蓋体２０側の接着面２４は、天板部２３にはないから、この天板部２３に粘着テープ３０が貼付されることがない。従って、天板部２３を粘着テープ３０によって塞ぐことはなく、当該包装用容器１００内の収納物の視認を確実にすることができることになる。
【発明を実施するための最良の形態】
【００４８】
次に、以上のように構成した各請求項に係る発明を、図面に示した最良の形態である包装用容器１００について説明するが、図１及び図２には、本発明の最良形態に係る包装用容器１００の平面図及び底面図がそれぞれ示してある。また、この包装用容器１００は、それぞれ合成樹脂シートを真空成形することによって形成される容器本体１０と、その開口部を覆蓋する蓋体２０とからなり、これら両者１０及び２０の境界部分を粘着テープ３０によって封緘するものである。
【００４９】
この包装用容器１００は、その容器本体１０及び蓋体２０を、図１〜図６に示したように、各コーナー部が丸く全体が正方形状となるように形成して実施してもよいが、図７及び図８に示したように、全体形状が丸形状となるように、あるいは図９及び図１０に示したように、全体形状が長方形状となるようにして実施してもよい。
【００５０】
容器本体１０は、図２、図３、及び図５に示したように、底板部１１と、この底板部１１の周縁から立ち上がる側壁部１２と、この側壁部１２の上端開口部周縁に位置するフランジ部１３とを有するもので、底板部１１の外周となる部分には、図２に示したような複数の糸尻部１１ａが形成してある。そして、この容器本体１０の側壁部１２には、底板部１１またはその外周となる糸尻部１１ａと、フランジ部１３の内縁１３ａとを滑らかに連続させ、粘着テープ３０の幅程度の幅を有する接着面１４が形成してある。
【００５１】
この接着面１４は、図２に示したように、略一定の幅（粘着テープ３０と同程度の幅）で連続するものであり、本最良形態では、底板部１１側の端部が、これらの底板部１１の間に滑らかに連続したものとなっており、フランジ部１３側の端部には、側壁部１２とフランジ部１３との境界を形成している略三角形状の境界面１４ａによって挟まれている。つまり、この接着面１４の端部は、糸尻部１１ａや境界面１４ａによって補強されたものとなっており、粘着テープ３０の貼付作業が安定して行えるようにしてある。
【００５２】
また、この接着面１４のフランジ部１３側端部は、本最良形態の場合、図２に示したように、フランジ部１３の外縁１３ｂにまで延びているが、これによって、当該接着面１４の先端が、後述する蓋体２０側にも滑らかに連続するようにしてある。勿論、フランジ部１３が細くてそれ程大きくない場合、接着面１４のフランジ部１３側端部は、フランジ部１３の内縁１３ａで終わらせるように実施しても良い。
【００５３】
そして、この接着面１４としては、本最良形態の場合、容器本体１０の各辺の中央に一個宛、合計４個形成してあるが、左右または上下の各辺の中央に一個宛、それぞれ合計２個形成して実施してもよい。この接着面１４を各辺の略中央に形成する、つまり容器本体１０の中心に対して、少なくとも一対の点対称位置となる部分に形成するのは、この接着面１４に粘着テープ３０を貼付して蓋体２０との封緘を行うに当たって、封緘機能を各辺の中心に作用させて、封緘を安定したものとするためである。
【００５４】
一方、蓋体２０も、合成樹脂シートに真空成形を施して形成したものであるが、この蓋体２０は、図１、図３〜図６に示したように、上述した容器本体１０のフランジ部１１に載置または嵌合されるフランジ部２１と、このフランジ部２１の内縁２１ａから立ち上がる嵩上げ壁２２と、この嵩上げ壁２２の上端に形成した天板部２３とを備えたものである。
【００５５】
そして、フランジ部２１及び嵩上げ壁２２の両者にまたがる部分には、図１に示したように、複数（本最良形態では合計４個）の接着面２４が形成してある。各接着面２４は、蓋体２０の中心に対して点対称位置に位置するもので、天板部２３に滑らかに連続するとともに、粘着テープ３０の幅程度の幅を有するものである。本最良形態では、上記容器本体１０側の接着面１４が曲面であったのに対し、当該接着面２４は、図６にも示したように、ほぼ平面形状の接着面２４としてある。
【００５６】
この接着面２４のフランジ部２１側端部については、その両側に略三角形状の境界面２４ａが形成してあり、これらの境界面２４ａはフランジ部２１と嵩上げ壁２２との境界部分での段部を解消しながら接着面２４に連なっているものである。これらの境界面２４ａも、容器本体１０側の境界面１４ａと同様に、接着面２４から受けた力をフランジ部２１や嵩上げ壁２２側に分散させるものとなっている。
【００５７】
また、この最良形態における接着面２４では、そのフランジ部２１側端部をフランジ部２１の外縁２１ｂに連続したものとしてあるが、例えばこのフランジ部２１にて容器本体１０側に内嵌合するような場合には、接着面２４の端部をフランジ部２１の内縁２１ａに連続させるように実施してもよいものである。
【００５８】
そして、この蓋体２０では、嵩上げ壁２２が必須要件になっているが、この嵩上げ壁２２は、当該包装用容器１００内の容積を増大させて内容物の収納量を多くして、当該包装用容器１００内に収納した食品等の収納物を外部から容易に視認できるようにするものであり、かつ接着面２４を形成する箇所を提供するために必要なものである。
【００５９】
なお、天板部２３につていは、本最良形態の場合、図３にも示したように、中央部分が僅かに盛り上がったものとしてあるが、これとは反対に、凹んだものとしたり、あるいは、凹みまたは盛り上がりを形成している部分を、容器本体１０側の糸尻部１１ａと同様に、分割したものであってもよい。
【００６０】
勿論、この蓋体２０は、容器本体１０に対して嵌合または載置されるものであるから、この蓋体２０のフランジ部２１の先端には、図６に示したように、係合部２５が形成してある。この係合部２５は、容器本体１０側のフランジ部１３の外縁に係合するものであり、蓋体２０の容器本体１０に対する封緘をより確実にするものである。
【産業上の利用可能性】
【００６１】
本発明に係る包装用容器１００は、上記のように、容器本体１０と蓋体２０とを封緘する粘着テープ３０の量を少なくすることができるものであるから、特許文献３に記載されているような「テープ貼付装置」の構成をコンパクトにすることができるものである。何故なら、引き出すべき粘着テープ３０の長さが短くできるのであるから、その分機会全体の構成を簡略化できるからである。
【図面の簡単な説明】
【００６２】
【図１】本発明に係る包装用容器の平面図である。
【図２】同包装用容器の底面図である。
【図３】同包装用容器の正面図である。
【図４】図１の１−１線及び２−２線で囲った部分の部分拡大正面図である。
【図５】図３中の３−３線に沿って見た包装用容器の縦断面図である。
【図６】図５の４−４線部分の拡大図である。
【図７】本発明の他の実施例を示す平面図である。
【図８】図７に示した包装用容器の底面図である。
【図９】本発明のさらに他の実施例を示す平面図である。
【図１０】図９に示した包装用容器の底面図である。
【図１１】従来の技術を示す斜視図である。
【図１２】従来の別の技術を示す部分斜視図である。
【図１３】従来のさらに別の技術を示す斜視図である。
【符号の説明】
【００６３】
１００    包装用容器
１０    容器本体
１１    底板部
１１ａ  糸尻部
１２    側壁部
１３    フランジ部
１３ａ  内縁
１３ｂ  外縁
１４    接着面
１４ａ  境界面
２０    蓋体
２１    フランジ部
２１ａ  内縁
２１ｂ  外縁
２２    嵩上げ壁
２３    天板部
２４    接着面
２４ａ  境界面
２５    係合部
３０    粘着テープ
【図１】
2008222304.tif 000003
【図２】
2008222304.tif 000004
【図３】
2008222304.tif 000005
【図４】
2008222304.tif 000006
【図５】
2008222304.tif 000007
【図６】
2008222304.tif 000008
【図７】
2008222304.tif 000009
【図８】
2008222304.tif 000010
【図９】
2008222304.tif 000011
【図１０】
2008222304.tif 000012
【図１１】
2008222304.tif 000013
【図１２】
2008222304.tif 000014
【図１３】
2008222304.tif 000015